(57)【要約】      （修正有）【課題】既燃ガス漏れによるプリイグニッションが発生しても、その既燃ガス漏れを解消して、エンジンを出来る限り高い熱効率で運転できるようにする。【解決手段】エンジン１０でプリイグニッションが発生したか否かを判定するプリイグニッション判定部１００ａと、既燃ガスが、該既燃ガスが生じた燃焼サイクルの次の燃焼サイクルへ漏れたことにより、上記プリイグニッションが発生したものであるか否かを判定する既燃ガス漏れ判定部１００ｂと、上記プリイグニッションが上記既燃ガス漏れにより発生したものであると判定されたときに、既燃ガス漏れ抑制運転（点火時期を所定時期から進角補正した状態で所定回転数でもって所定時間運転する）を実行する既燃ガス漏れ抑制運転実行部１００ｃと、上記既燃ガス漏れ抑制運転の実行後に、上記点火時期を上記所定時期に戻す点火時期戻し部１００ｄとを備える。【選択図】図２
2014210457.tif 000002
【特許請求の範囲】
【請求項１】
エンジンと、該エンジンにより駆動されて発電するジェネレータと、該ジェネレータによる発電電力を蓄電するバッテリと、該バッテリの蓄電電力及び上記ジェネレータによる発電電力のうちの少なくとも一方の電力で駆動される走行用モータとを備えたハイブリッド車両のエンジン制御装置であって、
上記エンジンの点火を所定時期に行わせる点火制御手段と、
上記エンジンの出力トルクを検出するエンジン出力トルク検出手段と、
上記エンジンが所定回転数で運転される定常運転時において、上記エンジン出力トルク検出手段により検出されるエンジン出力トルクから、該エンジンでプリイグニッションが発生したか否かを判定するプリイグニッション判定手段と、
上記プリイグニッション判定手段によりプリイグニッションが発生したと判定されたときに、既燃ガスが、該既燃ガスが生じた燃焼サイクルの次の燃焼サイクルへ漏れたことにより、上記プリイグニッションが発生したものであるか否かを判定する既燃ガス漏れ判定手段と、
上記既燃ガス漏れ判定手段により、上記プリイグニッションが上記既燃ガス漏れにより発生したものであると判定されたときに、上記点火制御手段による上記エンジンの点火時期を、上記所定時期から進角補正するとともに、上記エンジンを、上記点火時期を該進角補正した時期にした状態で上記所定回転数でもって所定時間運転することで上記既燃ガス漏れを抑制する既燃ガス漏れ抑制運転を実行する既燃ガス漏れ抑制運転実行手段と、
上記既燃ガス漏れ抑制運転実行手段による上記既燃ガス漏れ抑制運転の実行後に、上記点火時期を上記所定時期に戻す点火時期戻し手段とを備えることを特徴とするハイブリッド車両のエンジン制御装置。
【請求項２】
請求項１記載のハイブリッド車両のエンジン制御装置において、
上記プリイグニッション判定手段は、予め設定された設定時間よりも短い時間で、上記エンジン出力トルクが所定値以上低下しかつ該低下後に該低下前の値に戻ったときに、プリイグニッションが発生したと判定するように構成されていることを特徴とするハイブリッド車両のエンジン制御装置。
【請求項３】
請求項１又は２記載のハイブリッド車両のエンジン制御装置において、
上記既燃ガス漏れ判定手段により上記既燃ガス漏れによるものであると判定されたプリイグニッションの発生頻度を検出する発生頻度検出手段を更に備え、
上記既燃ガス漏れ抑制運転実行手段は、上記点火時期を、上記発生頻度検出手段により検出された上記プリイグニッションの発生頻度に応じた量だけ進角補正するように構成されていることを特徴とするハイブリッド車両のエンジン制御装置。
【請求項４】
請求項３記載のハイブリッド車両のエンジン制御装置において、
上記既燃ガス漏れ抑制運転実行手段は、上記進角補正後に上記発生頻度検出手段により検出された上記プリイグニッションの発生頻度に応じた量だけ更に進角補正し、上記発生頻度検出手段による上記プリイグニッションの発生頻度が、予め設定された設定値以下になるまで、上記進角補正を繰り返すように構成されていることを特徴とするハイブリッド車両のエンジン制御装置。
【請求項５】
請求項１〜４のいずれか１つに記載のハイブリッド車両のエンジン制御装置において、
上記点火時期戻し手段は、上記点火時期を上記所定時期になるまで所定量ずつ間欠的に戻す間欠戻し動作を実行するように構成されていることを特徴とするハイブリッド車両のエンジン制御装置。
【請求項６】
請求項５記載のハイブリッド車両のエンジン制御装置において、
上記点火時期戻し手段は、上記間欠戻し動作時における非戻し時に、上記プリイグニッション判定手段により上記プリイグニッションが発生したと判定されかつ上記既燃ガス漏れ判定手段により上記プリイグニッションが上記既燃ガス漏れにより発生したものであると判定されたときには、上記間欠戻し動作を中止するように構成され、
上記既燃ガス漏れ抑制運転実行手段は、上記点火時期戻し手段による上記間欠戻し動作が中止されたときには、上記点火時期を、上記間欠戻し動作を中止した時点の時期から再び進角補正するとともに、上記既燃ガス漏れ抑制運転を再実行するように構成されていることを特徴とするハイブリッド車両のエンジン制御装置。
【発明の詳細な説明】
【技術分野】
【０００１】
本発明は、所謂シリーズ式のハイブリッド車両のエンジン制御装置に関する技術分野に属する。
【背景技術】
【０００２】
従来より、ハイブリッド車両において、エンジンと、該エンジンにより駆動されて発電するジェネレータと、該ジェネレータによる発電電力を蓄電するバッテリと、該バッテリの蓄電電力及び上記ジェネレータによる発電電力のうちの少なくとも一方の電力で駆動される走行用モータとを備えたものが知られている。このようなハイブリッド車両では、エンジンの始動要求があった場合に、エンジンが運転されて、該エンジンによりモータジェネレータが駆動されることで、モータジェネレータによる発電が行われる。
【０００３】
ここで、ハイブリッド車両のエンジンとしては、特許文献１のようなロータリピストンエンジンが使用される場合がある。そして、特許文献１では、燃焼室内における燃焼安定性が悪化するようなエンジン運転状態のとき、ロ−タハウジングの短軸よりもロ−タ回転方向トレ−リング側に配設された点火プラグの点火時期を、燃焼安定性が良好なエンジン運転状態のときよりも早く設定することが記載されている。
【先行技術文献】
【特許文献】
【０００４】
【特許文献１】特開平５−１５６０号公報
【発明の概要】
【発明が解決しようとする課題】
【０００５】
ところで、上記ハイブリッド車両のエンジンでは、エンジンの始動及び停止が頻繁に繰り返される場合が多く、この場合、エンジンが温間状態で長時間運転されないために、エンジンの燃焼室内を密閉するシール部が偏摩耗し易いという問題がある。上記シール部を構成する部材としては、往復動型エンジンでは、バルブシート等であり、ロータリピストンエンジンでは、アペックスシール等である。特にロータリピストンエンジンでは、アペックスシールの偏摩耗が生じ易くなる。
【０００６】
上記のようなシール部の偏摩耗が生じると、既燃ガスが、該既燃ガスが生じた燃焼サイクルの次の燃焼サイクルへ漏れる可能性が高くなる。特にロータリピストンエンジンでは、膨張（燃焼）行程と圧縮行程とを区画するアペックスシールにおいて、膨張行程で生じた既燃ガスが、該膨張行程を含む燃焼サイクルの次の燃焼サイクルの圧縮行程に漏れ易くなる。このような既燃ガス漏れは、プリイグニッションを引き起こす要因となる。
【０００７】
上記エンジンでプリイグニッションが発生したときには、そのプリイグニッションを抑制するべく、上記特許文献１のように、エンジンの点火時期を進角させることが考えられる。しかし、点火時期を進角させるだけでは、シール部の偏摩耗が改善されずに既燃ガス漏れが解消されない可能性があり、しかも、点火時期を進角させると、エンジンの熱効率が低くなるので、プリイグニッションの発生以降は、熱効率が低い運転を継続して行う必要がある。
【０００８】
本発明は、斯かる点に鑑みてなされたものであり、その目的とするところは、既燃ガス漏れによるプリイグニッションが発生しても、その既燃ガス漏れを解消して、エンジンを出来る限り高い熱効率で運転できるようにすることにある。
【課題を解決するための手段】
【０００９】
上記の目的を達成するために、本発明では、エンジンと、該エンジンにより駆動されて発電するジェネレータと、該ジェネレータによる発電電力を蓄電するバッテリと、該バッテリの蓄電電力及び上記ジェネレータによる発電電力のうちの少なくとも一方の電力で駆動される走行用モータとを備えたハイブリッド車両のエンジン制御装置を対象として、上記エンジンの点火を所定時期に行わせる点火制御手段と、上記エンジンの出力トルクを検出するエンジン出力トルク検出手段と、上記エンジンが所定回転数で運転される定常運転時において、上記エンジン出力トルク検出手段により検出されるエンジン出力トルクから、該エンジンでプリイグニッションが発生したか否かを判定するプリイグニッション判定手段と、上記プリイグニッション判定手段によりプリイグニッションが発生したと判定されたときに、既燃ガスが、該既燃ガスが生じた燃焼サイクルの次の燃焼サイクルへ漏れたことにより、上記プリイグニッションが発生したものであるか否かを判定する既燃ガス漏れ判定手段と、上記既燃ガス漏れ判定手段により、上記プリイグニッションが上記既燃ガス漏れにより発生したものであると判定されたときに、上記点火制御手段による上記エンジンの点火時期を、上記所定時期から進角補正するとともに、上記エンジンを、上記点火時期を該進角補正した時期にした状態で上記所定回転数でもって所定時間運転することで上記既燃ガス漏れを抑制する既燃ガス漏れ抑制運転を実行する既燃ガス漏れ抑制運転実行手段と、上記既燃ガス漏れ抑制運転実行手段による上記既燃ガス漏れ抑制運転の実行後に、上記点火時期を上記所定時期に戻す点火時期戻し手段とを備える、という構成とした。
【００１０】
上記の構成により、既燃ガス漏れによるプリイグニッションが発生すると、既燃ガス漏れ抑制運転実行手段により既燃ガス漏れ抑制運転が実行される。この既燃ガス漏れ抑制運転では、エンジンの点火時期が所定時期から進角補正されるので、既燃ガスが次の燃焼サイクルに漏れた直後のガス温度が比較的低くなり、この結果、既燃ガス漏れによるプリイグニッションは発生し難くなる。そして、この進角補正した状態で所定回転数でもって所定時間運転される。すなわち、プリイグニッションが発生したときのエンジン回転数と同じ回転数でエンジンが所定時間運転される。この所定時間は、エンジンが温間状態となり、かつ、エンジンの燃焼室内を密閉するシール部であって既燃ガスが漏れているシール部を構成する部材（アペックスシールやバルブシート）の相手部材との馴染み性が向上して、該シール部の偏摩耗による既燃ガス漏れを抑制できるような時間（例えば３０分乃至６０分）である。このような既燃ガス漏れ抑制運転の実行によって、シール部の機能が正常になり、既燃ガス漏れが解消する。この結果、既燃ガス漏れ抑制運転の実行後に、点火時期を所定時期に戻しても、既燃ガス漏れによるプリイグニッションが発生しなくなる。しかも、点火時期を所定時期に戻すことで、エンジンを高い熱効率で運転することができるようになる。
【００１１】
上記ハイブリッド車両のエンジン制御装置において、上記プリイグニッション判定手段は、予め設定された設定時間よりも短い時間で、上記エンジン出力トルクが所定値以上低下しかつ該低下後に該低下前の値に戻ったときに、プリイグニッションが発生したと判定するように構成されている、ことが好ましい。
【００１２】
すなわち、プリイグニッションが発生すると、エンジン出力トルクの波形に、エンジン出力トルクが所定値以上低下した後に再び低下前の値に戻るような瞬間的なパルス波形が出現する。したがって、設定時間を、このようなパルス波形の時間よりも僅かに長い時間に設定することで、プリイグニッションが発生したことを正確に判定することができるようになる。
【００１３】
上記ハイブリッド車両のエンジン制御装置において、上記既燃ガス漏れ判定手段により上記既燃ガス漏れによるものであると判定されたプリイグニッションの発生頻度を検出する発生頻度検出手段を更に備え、上記既燃ガス漏れ抑制運転実行手段は、上記点火時期を、上記発生頻度検出手段により検出された上記プリイグニッションの発生頻度に応じた量だけ進角補正するように構成されている、ことが好ましい。
【００１４】
このことで、点火時期の進角補正量を、既燃ガス漏れによるプリイグニッションの発生頻度に応じて適切な進角補正量にすることができ、熱効率が過度に低下するのを防止することができる。
【００１５】
上記プリイグニッションの発生頻度に応じた量だけ進角補正する場合、上記進角補正後に上記発生頻度検出手段により検出された上記プリイグニッションの発生頻度に応じた量だけ更に進角補正し、上記発生頻度検出手段による上記プリイグニッションの発生頻度が、予め設定された設定値以下になるまで、上記進角補正を繰り返すように構成されている、ことが好ましい。
【００１６】
このことにより、点火時期を進角補正しても、既燃ガス漏れによるプリイグニッションが発生した場合には、更に進角補正がなされ、プリイグニッションが発生しなくなるまで、進角補正が繰り返されるので、既燃ガス漏れによるプリイグニッションが発生しない最小の進角補正量でもって、点火時期を進角補正することができる。
【００１７】
上記ハイブリッド車両のエンジン制御装置において、上記点火時期戻し手段は、上記点火時期を上記所定時期になるまで所定量ずつ間欠的に戻す間欠戻し動作を実行するように構成されている、ことが好ましい。
【００１８】
このことにより、既燃ガス漏れによるプリイグニッションの発生の有無を確認しながら、点火時期を戻すことができる。
【００１９】
上記間欠戻し動作を実行する場合、上記点火時期戻し手段は、上記間欠戻し動作時における非戻し時に、上記プリイグニッション判定手段により上記プリイグニッションが発生したと判定されかつ上記既燃ガス漏れ判定手段により上記プリイグニッションが上記既燃ガス漏れにより発生したものであると判定されたときには、上記間欠戻し動作を中止するように構成され、上記既燃ガス漏れ抑制運転実行手段は、上記点火時期戻し手段による上記間欠戻し動作が中止されたときには、上記点火時期を、上記間欠戻し動作を中止した時点の時期から再び進角補正するとともに、上記既燃ガス漏れ抑制運転を再実行するように構成されている、ことが好ましい。
【００２０】
こうすることで、点火時期を戻す途中で、既燃ガス漏れによるプリイグニッションが発生することになれば、既燃ガス漏れ抑制運転を再実行することによって、シール部の偏摩耗による既燃ガス漏れをより一層確実に抑制することができるようになる。
【発明の効果】
【００２１】
以上説明したように、本発明のハイブリッド車両のエンジン制御装置によると、既燃ガス漏れによるプリイグニッションの発生時に、既燃ガス漏れ抑制運転の実行によって、シール部の機能を正常にして既燃ガス漏れを解消することができ、この結果、既燃ガス漏れ抑制運転の実行後に、点火時期を所定時期に戻すことで、既燃ガス漏れによるプリイグニッションが発生しなくなるとともに、エンジンを高い熱効率で運転することができるようになる。
【図面の簡単な説明】
【００２２】
【図１】本発明の実施形態に係るエンジン制御装置が搭載されたハイブリッド車両を示す概略構成図である。
【図２】図１に示すハイブリッド車両のエンジン及び制御システムを示す図である。
【図３】アペックスシール（シール部）の構成を簡略化して示す図である。
【図４】プリイグニッションが発生した場合のエンジン出力トルクの変化を示すグラフである。
【図５】既燃ガス漏れ抑制運転の運転時間と、既燃ガス漏れによるプリイグニッションの発生頻度との関係を示すグラフである。
【図６】トレーリング側の点火プラグの点火時期（ＴＤＣ対する手前の角度（エキセン角））とエンジンの熱効率ηとの関係を示すグラフである。
【図７】コントロールユニットによる、プリイグニッションが発生したか否かの判定から間欠戻し動作までの一連の処理動作を示すフローチャートである。
【発明を実施するための形態】
【００２３】
以下、本発明の実施形態を図面に基づいて詳細に説明する。
【００２４】
図１は、本発明の実施形態に係るエンジン制御装置が搭載されたハイブリッド車両１（以下、単に車両１という）を示す。この車両１は、所謂シリーズ式のハイブリッド車両であって、エンジン１０と、回転軸が該エンジン１０の出力軸（後述のエキセントリックシャフト１３）に連結されていて、エンジン１０を駆動して始動させかつ該始動後のエンジン１０により駆動されて発電するモータジェネレータ２０と、このモータジェネレータ２０によって発電された電力が蓄電（充電）される高電圧・大容量のバッテリ３０と、エンジン１０に駆動されることによるモータジェネレータ２０の発電電力及びバッテリ３０の蓄電電力（放電電力）の少なくとも一方の電力で駆動される走行用モータ４０とを備えている。
【００２５】
モータジェネレータ２０、バッテリ３０及び走行用モータ４０の間には、インバータ５０が設けられている。このインバータ５０を介して、モータジェネレータ２０の発電電力が、バッテリ３０及び／又は走行用モータ４０に供給されるとともに、バッテリ３０からの放電電力が、モータジェネレータ２０及び／又は走行用モータ４０に供給される。
【００２６】
走行用モータ４０は、モータジェネレータ２０の発電電力及びバッテリ３０からの放電電力の少なくとも一方が供給されることにより駆動される。この走行用モータ４０の駆動力が、デファレンシャル装置６０を介して、駆動輪としての左右の前輪６１に伝達され、これにより、車両１が走行する。尚、走行用モータ４０は、車両１の減速時には、ジェネレータとして作動して、その発電した電力がバッテリ３０に充電される。また、バッテリ３０は、車両１の外部の電源による外部充電が可能である。
【００２７】
エンジン１０は、モータジェネレータ２０による発電用にのみ使用される。エンジン１０は、本実施形態では、水素タンク７０に貯留されている水素ガスが、燃料として供給される水素エンジンである。
【００２８】
図２に示すように、エンジン１０は、ツインロータ式（２気筒）のロータリピストンエンジンであって、２つの繭状のロータハウジング１１内（気筒内）に形成されるロータ収容室１１ａに、概略三角形状のロータ１２がそれぞれ収容されて構成されている。２つのロータハウジング１１は、３つのサイドハウジング（図示せず）の間に挟み込むようにして該サイドハウジングと一体化されてなり、各ロータハウジング１１とその両側のサイドハウジングとで各ロータ収容室１１ａが形成される。尚、図２では、２つのロータハウジング１１（２つの気筒）を展開した状態で図示しており、２つのロータハウジング１１内の中央部にそれぞれ描いているエキセントリックシャフト１３は、同じものである。
【００２９】
図３に簡略化して示すように、上記各ロータ１２の三角形の各頂部には、ロータ半径方向に延びる溝部１２ａが形成されており、この溝部１２ａに対して摺動可能にアペックスシール１２ｂが嵌められている。このアペックスシール１２ｂは、バネ１２ｃによってアペックスシール１２ｂの先端がロータハウジング１１のトロコイド内周面に摺接するように、ロータ１２の径方向外側に押圧されている。このことで、各ロータ１２により各ロータ収容室１１ａ（各気筒内）に３つの作動室（燃焼室に相当）が画成される。そして、アペックスシール１２ｂは、エンジン１０の燃焼室内を密閉するシール部を構成する。
【００３０】
各ロータ１２は、該ロータ１２の３つのアペックスシール１２ｂが各々ロータハウジング１１のトロコイド内周面に当接した状態でエキセントリックシャフト１３の周りを自転しながら、該エキセントリックシャフト１３の軸心の周りに公転するようになっている。ロータ１２が１回転する間に、該ロータ１２の各頂部間にそれぞれ形成された作動室が周方向に移動しながら、吸気、圧縮、膨張（燃焼）及び排気の各行程を行い、これにより発生する回転力がロータ１２を介して出力軸としてのエキセントリックシャフト１３から出力される。
【００３１】
上記各ロータ収容室１１ａには、吸気行程にある作動室に連通するように吸気通路１４が連通しているとともに、排気行程にある作動室に連通するように排気通路１５が連通している。吸気通路１４は、上流側では１つであるが、下流側では、２つの分岐路に分岐してそれぞれ上記各ロータ収容室１１ａに連通している。吸気通路１４の上記分岐部よりも上流側には、ステッピングモータ等のスロットル弁アクチュエータ９０により駆動されて吸気通路１４の断面積（弁開度）を調節するスロットル弁１６が配設されている。吸気通路１４の上記分岐部よりも下流側の各分岐路には、上記水素タンク７０から供給された水素（燃料）を吸気通路１４内に噴射する予混合用インジェクタ１７が配設されている。この予混合用インジェクタ１７により噴射された水素は空気と混合された状態（予混合状態）で、吸気行程にある作動室に供給される。
【００３２】
上記排気通路１５は、上流側では、各ロータ収容室１１にそれぞれ連通するように２つ設けられているが、下流側では、１つに合流されている。この排気通路１５の該合流部よりも下流側には、排気ガスを浄化するための排気ガス浄化触媒８０が配設されている。この排気ガス浄化触媒８０は、本実施形態では、ＮＯｘ吸蔵還元触媒とされている。尚、図２において吸気通路１４及び排気通路１５に図示した矢印は、吸気及び排気の流れを示している。
【００３３】
上記各ロータハウジング１１（各気筒）には、上記水素タンク７０から供給された水素をロータ収容室１１内（気筒内）に直接噴射する直噴用インジェクタ１８と、上記予混合用インジェクタ１７又は直噴用インジェクタ１８より噴射された水素の点火を行う２つの点火プラグ１９とが設けられている。
【００３４】
予混合用インジェクタ１７は、後述のエンジン水温センサ１０６により検出されたエンジン冷却水の温度（エンジン水温）が所定温度よりも低いときに作動する。一方、直噴用インジェクタ１８は、上記エンジン水温が上記所定温度以上であるときに作動する。これは、上記エンジン水温が上記所定温度よりも低いときには、燃料（水素）が燃焼した際に生じる水蒸気が直噴用インジェクタ１８の噴口において氷結して該噴口が塞がれる場合があるからである。また、ロータハウジング１１のトロコイド内周面に付着した氷が、ロータ１２のアペックスシール１２ｂによって直噴用インジェクタ１８の噴口内に掻き込まれ、このことによっても直噴用インジェクタ１８の噴口が塞がれる場合がある。このように直噴用インジェクタ１８の噴口が塞がれると、ロータ収容室１１内に供給される燃料量が不足する。そこで、上記氷結によるロータ収容室１１内への供給燃料量の不足を防止するべく、上記エンジン水温が、直噴用インジェクタ１８の噴口で氷結が生じるような温度にあるときには、予混合用インジェクタ１７により燃料の噴射を行う。上記エンジン水温が上記所定温度以上になれば、直噴用インジェクタ１８の噴口内の氷が溶けるとともに、燃料（水素）が燃焼した際に生じる水蒸気が氷結することもないので、空気の充填率を高めて高トルクが得られるように直噴用インジェクタ１８から水素を噴射する。
【００３５】
ここで、エンジン１０の始動時においては、その前のエンジン停止直前のエンジン水温が、通常は、上記所定温度以上であり、そのエンジン停止直前に発生した水蒸気は蒸発しているので、始動時における上記エンジン水温が上記所定温度よりも低くても、直噴用インジェクタ１８の噴口内に氷が存在する可能性は低い。そこで、エンジン１０の始動性を高めるべく、直噴用インジェクタ１８から燃料を噴射する。そして、エンジン１０の始動後においても、上記エンジン水温が上記所定温度よりも低い場合には、直噴用インジェクタ１８から予混合用インジェクタ１７に切り換えることになる。
【００３６】
尚、本実施形態では、予混合用インジェクタ１７は各分岐路において１つしか設けられていないが、直噴用インジェクタ１８は、各ロータハウジング１１において、エキセントリックシャフト１３の軸方向（図２の紙面に垂直な方向）に２つ並んで配設されている（図２では、１つしか見えていない）。
【００３７】
車両１には、バッテリ３０に出入りする電流及びバッテリ３０の電圧を検出するバッテリ電流・電圧センサ１０１と、車両１のドライバーによるアクセルペダルの踏み込み量（ドライバーの操作によるアクセル開度）を検出するアクセル開度センサ１０２（アクセル開度検出手段）と、車両１の車速を検出する車速センサ１０３（車速検出手段）と、エキセントリックシャフト１３に設けられ、エキセントリックシャフト１３の回転角度位置を検出する回転角センサ１０４（エンジン１０の回転数を検出するエンジン回転数センサを兼ねる）と、エンジン１０の排気ガス中の酸素濃度に基づいて空燃比を検出する空燃比センサ１０５と、ロータハウジング１１の内部に形成されたウォータジャケット（図示せず）に臨んで該ウォータジャケット内を流れる冷却水の温度（エンジン水温）を検出するエンジン水温センサ１０６と、水素タンク７０内の圧力（つまり水素タンク７０内の水素残量）を検出するタンク圧力センサ１０７と、吸気通路１４内に吸入される吸気流量を検出するエアフローセンサ１０８と、エンジン１０の作動制御や、インバータ５０の作動制御（つまりモータジェネレータ２０及び走行用モータ４０の作動制御）等を行うコントロールユニット１００とが設けられている。
【００３８】
コントロールユニット１００は、周知のマイクロコンピュータをベースとするコントローラであって、プログラムを実行する中央演算処理装置（ＣＰＵ）と、例えばＲＡＭやＲＯＭにより構成されてプログラム及びデータを格納するメモリと、電気信号の入出力をする入出力（Ｉ／Ｏ）バスと、を備えている。コントロールユニット１００には、バッテリ電流・電圧センサ１０１、アクセル開度センサ１０２、車速センサ１０３、回転角センサ１０４、空燃比センサ１０５、エンジン水温センサ１０６、タンク圧力センサ１０７、エアフローセンサ１０８等からの各種信号が入力されるようになっている。
【００３９】
そして、コントロールユニット１００は、上記入力信号に基づいて、スロットル弁アクチュエータ９０、ポート噴射用インジェクタ１７、直噴用インジェクタ１８、点火プラグ１９に対して制御信号を出力してエンジン１０を制御するとともに、インバータ５０に対して制御信号を出力してモータジェネレータ２０及び走行用モータ４０を制御する。
【００４０】
コントロールユニット１００は、インバータ５０を制御することにより、モータジェネレータ２０の作動状態を、バッテリ３０からの電力供給によりエンジン１０を駆動する駆動状態と、エンジン１０による駆動により発電して該発電電力をバッテリ３０や走行用モータ４０に供給する発電状態とに切り換えることが可能になっている。そして、コントロールユニット１００は、エンジン１０の始動時には、モータジェネレータ２０の作動状態を上記駆動状態としてエンジン１０を始動し、エンジン１０の始動後には、上記発電状態に切り換える。
【００４１】
インバータ５０は、上記モータジェネレータに流れる電流（駆動電流又は発電電流）及び該モータジェネレータにかかる電圧の情報をコントロールユニット１００に送信する。コントロールユニット１００は、これら電流及び電圧に基づいて、上記モータジェネレータの回転軸（つまりエキセントリックシャフト６）に作用するトルクを検出する。上記モータジェネレータ２０の作動状態が上記発電状態にあるとき、上記検出されたトルクは、エンジン１の出力トルクである。このことで、インバータ５０及びコントロールユニット１００は、エンジン１の出力トルクを検出するエンジン出力トルク検出手段を構成することになる。
【００４２】
また、コントロールユニット１００は、インバータ５０を制御することにより、走行用モータ４０の駆動を、バッテリ３０からの放電電力のみでもって行う態様と、モータジェネレータ２０からの発電電力のみでもって行う態様と、バッテリ３０及びモータジェネレータ２０の両方からの電力でもって行う態様とに切換え可能に構成されている。そして、コントロールユニット１００は、バッテリ電流・電圧センサ１０１により検出された、バッテリ３０に出入りする電流及びバッテリ３０の電圧に基づいて、バッテリ３０の残存容量（ＳＯＣ）を検出し、この検出されたバッテリ３０の残存容量と、タンク圧力センサ１０７による水素タンク７０内の水素残量とに基づいて、走行用モータ４０の駆動を、バッテリ３０からの放電電力のみでもって行う態様か、又は、モータジェネレータ２０からの発電電力のみでもって行う態様にする。上記バッテリ３０の残存容量及び水素残量によっては、走行用モータ４０の駆動を、バッテリ３０からの放電電力のみでもって行う態様、及び、モータジェネレータ２０からの発電電力のみでもって行う態様のいずれの態様にしてもよい場合があり、この場合に、車両１の乗員が操作するスイッチによる選択により、いずれの態様にするかを決定してもよい。
【００４３】
上記いずれの態様でもよい場合でかつ走行用モータ４０の駆動が、バッテリ３０からの放電電力のみでもって行う態様にあるとき（エンジン１０が停止しているとき）において、コントロールユニット１００は、アクセル開度センサ１０２や車速センサ１０３等からの入力情報に基づき、乗員の加速要求レベルが所定閾値よりも高くなったか否かを判定し、乗員の加速要求レベルが該所定閾値よりも高くなったと判定したときには、走行用モータ４０の駆動を、バッテリ３０及びモータジェネレータ２０の両方からの電力でもって行う態様に切り換える。その後、乗員の加速要求レベルが上記所定閾値よりも高い状態から該所定閾値以下になったときには、バッテリ３０からの放電電力のみでもって行う態様に戻す。
【００４４】
走行用モータ４０の駆動を、バッテリ３０からの放電電力のみでもって行う態様から、モータジェネレータ２０からの発電電力のみでもって行う態様、又は、バッテリ３０及びモータジェネレータ２０の両方からの電力でもって行う態様に切り換える際には、エンジン１０の始動要求（モータジェネレータ２０による発電要求）があることになる。また、その逆の切り換え時には、エンジン１０の停止要求があることになり、エンジン１０が停止することになる。
【００４５】
コントロールユニット１００は、エンジン１０の停止中に、エンジン１０の始動要求があったときには、モータジェネレータ２０を駆動することによってエンジン１０を回転させながら（クランキングしながら）、該エンジン１０において燃料（水素）の噴射及び該噴射された燃料の点火を行うことで、該エンジン１０を始動させる。こうしてエンジン１０が始動すると、モータジェネレータ２０の作動状態が上記発電状態となって、モータジェネレータ２０により発電が行われる。
【００４６】
エンジン１０の各気筒の２つの点火プラグ１９は、コントロールユニット１００によって、圧縮ないし膨張行程にある作動室内の混合気（圧縮行程で圧縮された混合気）を燃焼させるべく、所定時期に点火するようになされている。本実施形態では、リーディング側（進み側）の点火プラグ１９から点火し、その後にトレーリング側（遅れ側）の点火プラグ１９が点火する。両点火プラグ１９は共に、圧縮トップ（ＴＤＣ）の前に点火される。例えば、リーディング側の点火プラグ１９は、ＴＤＣに対してエキセン角で１５°前とされ、トレーリング側の点火プラグ１９は、ＴＤＣに対してエキセン角で５°前とされる。コントロールユニット１００は、エンジン１０の点火（つまり点火プラグ１９の点火）を所定時期に行わせる点火制御手段を構成することになる。
【００４７】
エンジン１０が運転されているとき、上記乗員の加速要求レベルが上記所定閾値以下であれば、エンジン１０は、車速センサ１０３による車速に応じたエンジン回転数でもって運転される。このエンジン回転数は、車速が速いほど、高くなる。車速が一定であれば、エンジン回転数も一定となる。
【００４８】
コントロールユニット１００には、プリイグニッション判定部１００ａ（プリイグニッション判定手段）と、既燃ガス漏れ判定部１００ｂ（既燃ガス漏れ判定手段）と、既燃ガス漏れ抑制運転実行部１００ｃ（既燃ガス漏れ抑制運転実行手段）と、点火時期戻し部１００ｄ（点火時期戻し手段）と、発生頻度検出部１００ｅ（発生頻度検出手段）とが設けられている。
【００４９】
上記プリイグニッション判定部１００ａは、エンジン１０が所定回転数（例えば１８００ｒｐｍ〜２２００ｒｐｍの範囲の一定回転数）で運転される定常運転時に、インバータ５０からの上記電流及び上記電圧に基づいて検出されるエンジン出力トルクから、エンジン１０でプリイグニッションが発生したか否かを判定する。具体的に、プリイグニッション判定部１００ａは、予め設定された設定時間よりも短い時間で、上記エンジン出力トルクが所定値以上低下しかつ該低下後に該低下前の値に戻ったときに、プリイグニッションが発生したと判定するように構成されている。すなわち、プリイグニッションが発生すると、図４に示すように、上記エンジン出力トルクの波形に、エンジン出力トルクが急低下しかつ該低下後に急上昇するパルス波形が出現する。このときのパルス幅ｔ１が上記設定時間よりも短く、エンジン出力トルクの低下量Ｔ１が上記所定値以上となる。プリイグニッション判定部１００ａは、エンジン出力トルクの、このようなパルス状の変化があったときに、プリイグニッションが発生したと判定する。
【００５０】
上記既燃ガス漏れ判定部１００ｂは、上記プリイグニッション判定部１００ａによりプリイグニッションが発生したと判定されたときに、既燃ガスが、該既燃ガスが生じた燃焼サイクルの次の燃焼サイクルへ漏れたことにより、上記プリイグニッションが発生したものであるか否かを判定する。具体的に、既燃ガス漏れ判定部１００ｂは、上記空燃比センサ５４により検出された空燃比が、目標の空燃比と略同じであり、かつ、プリイグニッションの発生前後（上記パルスの発生前後）における上記エンジン出力トルクが、目標のトルクと略同じであるという条件が成立したときに、上記既燃ガス漏れにより上記プリイグニッションが発生したものであると判定する。一方、既燃ガス漏れ判定部１００ｂは、上記条件が成立していないときには、点火系又は燃料噴射系の異常により、上記プリイグニッションが発生したものであると判定する。このときには、車両１のインストルメントパネルにおいて車両１の乗員（ドライバ）が視認可能に設けられた表示パネル等に、エンジン１０が故障している旨の警報表示が行われる。
【００５１】
車両１は、ハイブリッド車両であるので、エンジン１０の始動及び停止が頻繁に繰り返される場合が多く、この場合、エンジン１０が温間状態で長時間運転されないために、アペックスシール１２ｂが傾いて突出した状態となり易くて偏摩耗し易くなる。このようなアペックスシール１２ｂの偏摩耗が生じると、膨張（燃焼）行程と圧縮行程とを区画するアペックスシール１２ｂにおいて、膨張行程で生じた既燃ガスが、該膨張行程を含む燃焼サイクルの次の燃焼サイクルの圧縮行程に漏れ易くなる。このような既燃ガスの漏れにより、上記プリイグニッションが生じる。本実施形態のように燃料が水素である場合に、特に上記プリイグニッションが生じ易くなる。このような既燃ガス漏れによるプリイグニッションの発生時には、上記条件が成立する。したがって、上記条件が成立するか否かによって、上記既燃ガス漏れによりプリイグニッションが発生したか否かを判定することができる。尚、上記条件に加えて、上記パルス状の変化が断続的に発生したという条件が成立したときに、上記既燃ガス漏れにより上記プリイグニッションが発生したものであると判定するようにしてもよい。
【００５２】
上記既燃ガス漏れ抑制運転実行部１００ｃは、既燃ガス漏れ判定部１００ｂにより、上記プリイグニッションが上記既燃ガス漏れにより発生したものであると判定されたときに、エンジン１０の点火時期（つまり点火プラグ１９の点火時期）を、上記所定時期から進角補正するとともに、エンジン１０を、上記点火時期を該進角補正した時期にした状態で上記所定回転数でもって所定時間運転することで上記既燃ガス漏れを抑制する既燃ガス漏れ抑制運転を実行する。すなわち、プリイグニッションが発生したときのエンジン回転数と同じ回転数でエンジン１０が所定時間運転される。この所定時間は、エンジン１０が温間状態となり、かつ、アペックスシール１２ｂの上記トロコイド内周面との馴染み性が向上して、アペックスシール１２ｂの偏摩耗による既燃ガス漏れを抑制できるような時間である。例えば図５に示すように、上記既燃ガス漏れ抑制運転の運転時間が長くなるほど、既燃ガス漏れによるプリイグニッションの発生頻度（図５では、１分間当たりのプリイグニッションの発生回数）が少なくなり、やがて０になる。この発生頻度が０になるような時間を、上記所定時間として設定すればよい（例えば３０分乃至６０分）。上記既燃ガス漏れ抑制運転の実行によって、アペックスシール１２ｂの機能が正常になり、これにより、既燃ガス漏れが解消して、プリイグニッションが発生しなくなる。
【００５３】
尚、既燃ガス漏れ抑制運転の実行中に、例えば乗員の加速要求レベルが上記所定閾値よりも高い状態になったときには、既燃ガス漏れ抑制運転の実行を一時的に中止して、エンジン１０の回転数をその加速要求レベルに対応した回転数にしかつエンジン１０の点火時期を上記所定時期にし、乗員の加速要求レベルが上記所定閾値以下になったときに、再び既燃ガス漏れ抑制運転を再開することが好ましい。このように既燃ガス漏れ抑制運転の実行を中止した場合、その中止した時間は既燃ガス漏れ抑制運転の運転時間に含めず、実際の既燃ガス漏れ抑制運転のトータル時間が上記所定時間になるまで、既燃ガス漏れ抑制運転を実行する。
【００５４】
また、上記既燃ガス漏れ抑制運転の実行中は、エンジン１０の点火時期が上記所定時期から進角補正されるので、既燃ガスが圧縮行程に漏れた直後のガス温度が比較的低くなり、この結果、既燃ガス漏れによるプリイグニッションは発生し難くなる。具体的な進角補正量は、以下のように決定する。
【００５５】
先ず、上記発生頻度検出部１００ｅが、上記既燃ガス漏れ判定部１００ｂにより上記既燃ガス漏れによるものであると判定されたプリイグニッションの発生頻度を検出する。この発生頻度は、予め決められた基準時間の間における、上記既燃ガス漏れによるものであると判定されたプリイグニッションの発生回数である。
【００５６】
そして、既燃ガス漏れ抑制運転実行部１００ｃは、エンジン１０の点火時期を、上記発生頻度検出部１００ｅにより検出された上記プリイグニッションの発生頻度に応じた量だけ進角補正する。この進角補正量は、上記発生頻度に対応して予め決められていて、上記プリイグニッションの発生が抑制されるように、上記発生頻度が多いほど多くしている。
【００５７】
本実施形態では、上記進角補正後（かつ既燃ガス漏れ抑制運転の実行前）に発生頻度検出部１００ｅにより検出された上記プリイグニッションの発生頻度が、予め設定された設定値（基本的には０であるが、０に近い値であってもよい）以下でない場合には、該進角補正後における該プリイグニッションの発生頻度に応じた量だけ更に進角補正し、上記発生頻度検出部１００ｅによる上記プリイグニッションの発生頻度が、上記設定値以下になるまで、上記進角補正を繰り返す。こうしてエンジン１０は、既燃ガス漏れ抑制運転において、上記点火時期を上記最後に進角補正した時期にした状態で上記所定回転数でもって所定時間運転されることになる。
【００５８】
尚、２つの点火プラグ１９の点火時期を進角補正してもよく、トレーリング側の点火プラグ１９の点火時期のみを進角補正するようにしてもよい。また、２つの点火プラグ１９の点火時期を進角補正する場合、２つの点火プラグ１９の点火時期の進角補正量が、同じである必要はなく、互いに異なっていてもよい。例えば、トレーリング側の点火プラグ１９の点火時期の進角補正量を、リーディング側の点火プラグ１９の点火時期の進角補正量よりも大きくする。要するに、既燃ガス漏れによるプリイグニッションが発生しないようにすればよい。
【００５９】
上記点火時期を上記進角補正した時期にした状態で運転する既燃ガス漏れ抑制運転では、エンジン１０の熱効率が低下する。図６は、トレーリング側の点火プラグ１９の点火時期（ＴＤＣ対する手前の角度（エキセン角））とエンジン１０の熱効率ηとの関係を示す。ここでは、リーディング側の点火プラグ１９の点火時期は、ＴＤＣに対してエキセン角で１５°前と一定である。また、エンジン１０の回転数を２０００ｒｐｍとし、スロットル弁を全開とし、空気過剰率λを２．２としている。図６に示すように、進角補正量が多くなるほど、エンジン１０の熱効率ηが低下することが分かる。
【００６０】
そこで、点火時期戻し部１００ｄが、上記既燃ガス漏れ抑制運転実行部１００ｃによる上記既燃ガス漏れ抑制運転の実行後に、上記点火時期を、上記進角補正後の時期から上記所定時期に戻す（遅角する）。本実施形態では、点火時期戻し部１００ｄは、上記点火時期を上記所定時期になるまで所定量（例えばエキセン角で３°〜５°）ずつ間欠的に戻す間欠戻し動作を実行するように構成されている。
【００６１】
そして、点火時期戻し部１００ｄは、上記間欠戻し動作時における非戻し時に、上記プリイグニッション判定部１００ａにより上記プリイグニッションが発生したと判定されかつ上記既燃ガス漏れ判定部１００ｂにより上記プリイグニッションが上記既燃ガス漏れにより発生したものであると判定されたときには、上記間欠戻し動作を中止する。一方、上記間欠戻し動作時における非戻し時に、上記既燃ガス漏れによるプリイグニッションが発生しなければ、上記点火時期戻し部１００ｄによる上記間欠戻し動作が継続され、上記点火時期が更に所定量だけ遅角されることになり、最終的に上記点火時期が上記所定時期に戻ることになる。
【００６２】
既燃ガス漏れ抑制運転実行部１００ｃは、上記点火時期戻し部１００ｄによる上記間欠戻し動作が中止されたときには、上記点火時期を、上記間欠戻し動作を中止した時点の時期から再び進角補正するとともに、上記既燃ガス漏れ抑制運転を再実行する。本実施形態では、上記点火時期が上記間欠戻し動作を中止した時点の時期にあるときに上記発生頻度検出部１００ｅにより検出された上記プリイグニッションの発生頻度に応じた進角補正量でもって、上記点火時期を、上記間欠戻し動作を中止した時点の時期から進角補正した上で、上記既燃ガス漏れ抑制運転を再実行する。また、最初の進角補正時と同様に、上記プリイグニッションの発生頻度が上記設定値以下にならない場合には、上記設定値以下になるまで進角補正を繰り返す。こうして、既燃ガス漏れによるプリイグニッションの発生の有無を確認しながら、点火時期を徐々に戻し、点火時期を戻す段階で、既燃ガス漏れによるプリイグニッションが発生していれば、既燃ガス漏れ抑制運転を再実行することによって、アペックスシール１２ｂの偏摩耗による既燃ガス漏れをより一層確実に抑制することができるようになる。
【００６３】
尚、点火時期戻し部１００ｄが、上記既燃ガス漏れ抑制運転実行部１００ｃによる上記既燃ガス漏れ抑制運転の実行後に、上記点火時期を上記所定時期に一気に戻すようにすることも可能である。
【００６４】
ここで、コントロールユニット１００による、上記プリイグニッションが発生したか否かの判定から上記間欠戻し動作までの一連の処理動作について、図７のフローチャートに基づいて説明する。
【００６５】
最初のステップＳ１で、各種センサ及びインバータ５０からの情報を読み込み、次のステップＳ２で、エンジン１０が上記所定回転数で運転される定常運転状態にあるか否かを判定する。このステップＳ２の判定がＮＯであるときには、上記ステップＳ１に戻る一方、ステップＳ２の判定がＹＥＳであるときには、ステップＳ３に進む。
【００６６】
上記ステップＳ３では、プリイグニッション判定部１００ａが、インバータ５０からの上記電流及び上記電圧に基づいて検出されるエンジン出力トルクから、エンジン１０でプリイグニッションが発生したか否かを判定する。このステップＳ３の判定がＮＯであるときには、上記ステップＳ１に戻る一方、ステップＳ３の判定がＹＥＳであるときには、ステップＳ４に進む。
【００６７】
上記ステップＳ４では、既燃ガス漏れ判定部１００ｂが、既燃ガスが、該既燃ガスが生じた燃焼サイクルの次の燃焼サイクルへ漏れたことにより、上記プリイグニッションが発生したものであるか否かを判定する。このステップＳ４の判定がＹＥＳであるときには、ステップＳ５に進む一方、ステップＳ４の判定がＮＯであるときには、ステップＳ１６に進む。
【００６８】
上記ステップＳ５では、発生頻度検出部１００ｅが、上記既燃ガス漏れ判定部１００ｂにより上記既燃ガス漏れによるものであると判定されたプリイグニッションの発生頻度を検出する。
【００６９】
次のステップＳ６では、既燃ガス漏れ抑制運転実行部１００ｃが、エンジン１０の点火時期（点火プラグ１９の点火時期）を、上記プリイグニッションの発生頻度に応じた量だけ進角補正する。
【００７０】
次のステップＳ７では、発生頻度検出部１００ｅが、上記既燃ガス漏れ判定部１００ｂにより上記既燃ガス漏れによるものであると判定されたプリイグニッションの発生頻度を検出する。
【００７１】
次のステップＳ８では、既燃ガス漏れ抑制運転実行部１００ｃが、発生頻度検出部１００ｅによる上記プリイグニッションの発生頻度が上記設定値以下となって、上記プリイグニッションが解消したといえるか否かを判定する。このステップＳ８の判定がＮＯであるときには、上記ステップＳ６に戻る一方、ステップＳ８の判定がＹＥＳであるときには、ステップＳ９に進んで、既燃ガス漏れ抑制運転実行部１００ｃが、既燃ガス漏れ抑制運転を実行する。すなわち、エンジン１０を、上記点火時期を上記最後に進角補正した時期にした状態で上記所定回転数でもって運転する。
【００７２】
次のステップＳ１０では、既燃ガス漏れ抑制運転実行部１００ｃが、既燃ガス漏れ抑制運転の開始から上記所定時間が経過したか否かを判定する。このステップＳ１０の判定がＮＯであるときには、上記ステップＳ９に戻る一方、ステップＳ１０の判定がＹＥＳであるときには、ステップＳ１１に進む。
【００７３】
上記ステップＳ１１では、既燃ガス漏れ抑制運転実行部１００ｃが、既燃ガス漏れ抑制運転を中止し、次のステップＳ１２で、点火時期戻し部１００ｄが、点火時期を所定量ずつ間欠的に戻す間欠戻し動作を実行する。
【００７４】
次のステップＳ１３で、上記間欠戻し動作時における非戻し時に、プリイグニッション判定部１００ａがプリイグニッションが発生したと判定しかつ既燃ガス漏れ判定部１００ｂが、そのプリイグニッションが上記既燃ガス漏れにより発生したものであると判定したか否かを判定する。
【００７５】
上記ステップＳ１３の判定がＹＥＳであるときには、ステップＳ１４に進んで、点火時期戻し部１００ｄが上記間欠戻し動作を中止し、しかる後に上記ステップＳ５に戻る。一方、ステップＳ１３の判定がＮＯであるときには、ステップＳ１５に進む。
【００７６】
上記ステップＳ１５では、点火時期戻し部１００ｄが、点火時期が上記所定時期に戻ったか否かを判定し、このステップＳ１５の判定がＮＯであるときには、上記ステップＳ１２に戻る一方、ステップＳ１５の判定がＹＥＳであるときには、本処理動作を終了する。
【００７７】
上記ステップＳ４の判定がＮＯであるときに進むステップＳ１６では、既燃ガス漏れ判定部１００ｂは、点火系又は燃料噴射系の異常により、上記プリイグニッションが発生したものであると判定し、次のステップＳ１７では、表示パネル等に、エンジン１０が故障している旨の警報表示を行い、しかる後に本処理動作を終了する。
【００７８】
したがって、本実施形態では、既燃ガス漏れによるプリイグニッションの発生時に、既燃ガス漏れ抑制運転の実行によって、アペックスシール１２ｂの機能を正常にして既燃ガス漏れを解消することができ、この結果、既燃ガス漏れ抑制運転の実行後に、点火時期を所定時期に戻すことで、既燃ガス漏れによるプリイグニッションが発生しなくなるとともに、エンジン１０を高い熱効率で運転することができるようになる。
【００７９】
本発明は、上記実施形態に限られるものではなく、請求の範囲の主旨を逸脱しない範囲で代用が可能である。
【００８０】
例えば、上記実施形態では、エンジン１０を、水素を燃料とするロータリピストンエンジンとしたが、往復動型エンジンであってもよく、水素以外の燃料（例えばガソリン）を用いるエンジンであってもよい。往復動型エンジンの場合、バルブシート（特に排気弁のバルブシート）で構成されたシール部において、既燃ガスが、該既燃ガスが生じた燃焼サイクルの次の燃焼サイクルへ漏れて、プリイグニッションが発生する可能性があるが、この場合も、本発明を適用することで、既燃ガス漏れを解消することができるとともに、エンジン１０を高い熱効率で運転することができるようになる。
【００８１】
上述の実施形態は単なる例示に過ぎず、本発明の範囲を限定的に解釈してはならない。本発明の範囲は請求の範囲によって定義され、請求の範囲の均等範囲に属する変形や変更は、全て本発明の範囲内のものである。
【産業上の利用可能性】
【００８２】
本発明は、エンジンと、該エンジンにより駆動されて発電するジェネレータと、該ジェネレータによる発電電力を蓄電するバッテリと、該バッテリの蓄電電力及び上記ジェネレータによる発電電力のうちの少なくとも一方の電力で駆動される走行用モータとを備えたハイブリッド車両のエンジン制御装置に有用である。
【符号の説明】
【００８３】
１        ハイブリッド車両
１０      エンジン
２０      モータジェネレータ
３０      バッテリ
４０      走行用モータ
５０      インバータ（エンジン出力トルク検出手段）
１００    コントロールユニット（エンジン出力トルク検出手段）（点火制御手段）
１００ａ  プリイグニッション判定部（プリイグニッション判定手段）
１００ｂ  既燃ガス漏れ判定部（既燃ガス漏れ判定手段）
１００ｃ  既燃ガス漏れ抑制運転実行部（既燃ガス漏れ抑制運転実行手段）
１００ｄ  点火時期戻し部（点火時期戻し手段）
１００ｅ  発生頻度検出部（発生頻度検出手段）
【図１】
2014210457.tif 000003
【図２】
2014210457.tif 000004
【図３】
2014210457.tif 000005
【図４】
2014210457.tif 000006
【図５】
2014210457.tif 000007
【図６】
2014210457.tif 000008
【図７】
2014210457.tif 000009